(57)【要約】      （修正有）【課題】車や人が通行、安全を守ると時に使うもので、その安全を知らせる時、色を使い分けて使用するものを提供する。【解決手段】誘導者の指示が運転者や通行人に一目で理解出来る為に、信号機と同じ青色、黄色、赤色を見せる丸い筒を二面に見せる。円筒の４分の１に目隠し板４を付け、反対面の４分の１にも目隠し板４を設ける。その目隠し板のない部分２面は片方が青色で反対面は赤色が見え、対面者が同時に反対色を見る。回転レバー６を４分の１回転させる事で青色の面が黄色に変わり、赤色の面は赤色のままで、再びレバーを回すと黄色の面が赤色となり、赤色の面が青となる。レバーを４分の１ずつ回す事で順次青色、黄色、赤色と繰り返し両面から見分けられる装置を設ける。【選択図】図１
0003154455.tif 000002
【実用新案登録請求の範囲】
【請求項１】
携帯用の誘導灯で、一本の円筒に２面を見せる形の円筒を作り、その内部に３色に分けた色分面板の円筒だけを回転させて２面に相対する色を対面者に同時に見せ示す装置。
【請求項２】
色分面板の色の分配は、青色が４分の１、黄色が４分の１、赤色が４分の２とした割合。片面が青色に見える時、反対面は赤色に見え、目隠し板の中に入った黄色は見えない。円筒の４分の１を回転させる事で青色の次の黄色が見えた時に４分の２の割合の赤色は目隠し板に隠れていた赤色が黄色の反対面に出てくる。青色は目隠し板の中で見えなくなる。目隠し板と色分面板の割合を利用し、一本の円筒で２面を見せ、信号機と同じように３色を示す装置。
【考案の詳細な説明】
【技術分野】
【０００１】  誘導者が必要と思われる場所。スーパー駐車場の出入口、道路工事の一方通行、建設現場の出入口等。車と車、人と車の安全確認を行う時に使用する誘導灯。青色、黄色、赤色を使えるものとした。
【背景技術】
【０００２】  従来の誘導灯は赤い丸筒の棒で、使用する時は筒を頭上で回す、正面で横に振る、道に沿って前後に振る身振りで伝えた。夜間となればどんな身振りなのか判断に時間を要する。
【先行技術文献】
【特許文献】
【０００３】
【特許文献１】
【特許文献２】
【非特許文献】
【０００４】
【非特許文献１】
【考案の概要】
【考案が解決しようとする課題】
【０００５】  通行の安全の為に使用する誘導灯は次の様な問題が有った。棒状の赤い色で、振り方だけで知らせているので、工事中の片側通行、特に一人で誘導している時、同時、対面車が来たと時等、誘導者の指示が理解しにくい時が有る。駐車場からの入出庫でも振り方だけで指示するので理解したような理解していないような感じで運転、移動している時も有る。この様な問題に対し、本考案は誘導灯の色を変化させて指示、知らせるものを提供する。
【課題を解決するための手段】
【０００６】  誘導者の指示が運転者や通行人に一目で理解出来る為に、信号機と同じ青色、黄色、赤色を見せる丸い筒を二面に見せる。円筒の４分の１に目隠し板を付け、反対面の４分の１にも目隠し板を設ける。その目隠し板のない部分２面は片方が青色で反対面は赤色が見え、対面者が同時に反対色を見る。回転レバーを４分の１回転させる事で青色の面が黄色に変わり、赤色の面は赤色のままで、再びレバーを回すと黄色の面が赤色となり、赤色の面が青となる。レバーを４分の１ずつ回す事で順次青色、黄色、赤色と繰り返し両面から見分けられる装置を設けた。
【考案の効果】
【０００７】  青色、黄色、赤色は交通信号の色として幼年者から高齢者まで理解しているので、誘導灯の色を正面に見る事で誘導者の意思を確実に知る事が出来る。
【図面の簡単な説明】
【０００８】
【図１】本考案の正面透視図。
【図２】本考案の上面図。
【図３】本考案の一部断面図。
【考案を実施するための形態】
【０００９】  以下、本考案の実施するための形態を説明する。
（イ）透明の円筒、先端に光を集中させる為に少し細くした（３）の中に４等分で×形に作った色分面板（１）を設ける。（１）と（２）と（１０）は色分面板（１）を回転させる為に結合する。
（ロ）上記と同じ様な円筒（３）を少し大きめに作り、円筒２面に見せる為４分の１の目隠し板（４）を張り付け、その反対面にも４分の１目隠し板（４）を張り付け円筒を２面に見える様にした。
（ハ）２面に見える片方が青色の時、反対面は赤色に見えるよう色分面板（４）を利用して対面者に互いに違う色を見せる。
（ニ）回転レバー（６）を４分の１回転させると青色の面は黄色に変わり、色分面板の（４）の両面の違いを利用した本考案は赤色のままで、再び４分の１回した時、黄色の面は赤色へ赤色の面は青色と変わる。
（ホ）回転レバー（６）を４分の１ずつ回す事によって片面は、青色、黄色、赤色を（１）の面に表し、反対面は赤色、赤色、青色と（１）に示して行く。片側通行の時、車庫の出入りの時等、誘導灯を見た者が勘違いしないで行動出来る３色を利用した誘導灯とした。
（５）誘導灯本体。（７）回転レバーの通る溝。（８）スイッチ。（９）握り。
（１１）色分板を回す爪。（１２）６・１１を結合した色分面板を回す台。
（１３）電球の笠。（１４）豆電球。（１５）電池。
【実施例】
【００１０】  この考案は通常赤色である丸筒で誘導してきたものを、円筒の中に３色示す色分面板を回転させる装置を設けて、その３色を両面に順次に見せ誘導者の意思を伝える。昼間は色分面板が太陽の光で見えて、夜間は電池の光で筒内の色を照らし見える。
【産業上の利用可能性】
【００１１】  誘導員の使用する誘導灯で道路工事の片側通行、駐車場、建設現場等の出入口等、車対車、人対車の安全危険等の状況を伝える誘導灯で有る。
【符号の説明】
【００１２】  （１）４等分に色を分けた色分面板。
（２）内側円筒。
（３）外側円筒。
（４）円筒を２面に見せる目隠し板。
（５）反射板を内側に３・４を支える本体。
（６）回転レバー。
（７）回転レバーの通る溝。
（８）スイッチ。
（９）握り。
（１０）１・２を回転させる為の本体。
（１１）１０を回す爪。
（１２）１１を固定した回転する台。（４分の１を回す）
（１３）電球の笠。
（１４）豆電球。
（１５）電池。
【図１】
0003154455.tif 000003
【図２】
0003154455.tif 000004
【図３】
0003154455.tif 000005
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
断面が同軸の３層からなる点灯部を有する携帯用誘導灯であって、
前記３層が、最外層から中心に向かって、
目隠し板（４）の層、
外部円筒（３）の層、及び、
内部円筒（２）の層
であり、
目隠し板（４）の層は、
概ね０度以上９０度未満、及び、概ね１８０度以上２７０度未満の領域が遮光部であり、
並びに、概ね９０度以上１８０度未満、及び、概ね２７０度以上〜３６０度未満の領域が透光部であって、
外部円筒（３）の層と内部円筒（２）の層は、それぞれ、透明な円筒であり、
内部円筒（２）の内部には、色分面板（１）が配設され、
色分面板（１）は、
断面が二枚の板が点灯部の中心において概ね直角に交差し、
断面について、第１象限と第２象限が赤色に、第３象限が青色に、第４象限が黄色に、
それぞれ塗装された構造を有しており、
目隠し板（４）に対して、色分面板（１）を相対的に、概ね９０度毎に回転せしめること
により、
色分面板（１）断面における第１象限又は第２象限を、目隠し板（４）の透光部に合わせ
たときは、赤色を表示し、
色分面板（１）断面における第３象限を、目隠し板（４）の透光部に合わせたときは、青
色を表示し、
色分面板（１）断面における第４象限を、目隠し板（４）の透光部に合わせたときは、黄
色を表示することにより、
信号機としての機能を発揮することを特徴とする携帯用誘導灯。
【手続補正２】
【補正対象書類名】図面
【補正対象項目名】図２
【補正方法】変更
【補正の内容】
【図２】
0003154455.tif 000006